(57)【要約】      （修正有）【課題】ユーザの評価を確実にサーバに送信する通信システムを提供する。【解決手段】コンテンツメタ情報を配信するサーバと、サーバと第１の通信経路を介して接続される第１の通信端末と、サーバと第２の通信経路を介して接続される第２の通信端末とを備え、第１の通信端末は、サーバから送信されたコンテンツに対するユーザの評価を入力し、入力された評価を含む評価情報を記憶する記憶部と、第１の通信経路を介して、評価情報をサーバに送信する送信部と、評価情報を第２の通信端末に出力する出力部とを備え、第１の通信経路が確立している場合には、入力部から入力された評価情報をサーバに送信し、第１の通信経路が確立していない場合には、第２の通信端末との間の接続が確立した際に、前記記憶部に記憶された評価情報を第２の通信端末に出力し、第２の通信端末は、第１の通信端末から出力された評価情報を、第２の通信経路を介してサーバに送信する。【選択図】図１
2009110399.tif 000002
【特許請求の範囲】
【請求項１】
コンテンツメタ情報を配信するサーバと、前記サーバと第１の通信経路を介して接続される第１の通信端末と、前記サーバと第２の通信経路を介して接続される第２の通信端末とを備えた通信システムであって、
前記第１の通信端末は、
前記サーバから送信された前記コンテンツメタ情報を受信する受信部と、
前記コンテンツメタ情報に基づきコンテンツを再生するコンテンツ再生部と、
前記コンテンツに対するユーザの評価を入力する入力部と、
前記入力部から入力された前記評価を含む評価情報を記憶する記憶部と、
前記第１の通信経路を介して、前記評価情報を前記サーバに送信する送信部と、
前記評価情報を前記第２の通信端末に対して出力する出力部とを備え、
前記第１の通信経路が確立している場合には、前記送信部により前記入力部から入力された前記評価情報を前記サーバに送信し、
前記第１の通信経路が確立していない場合には、前記第２の通信端末との間の接続が確立した際に、前記出力部により前記記憶部に記憶された前記評価情報を該第２の通信端末に対して出力し、
前記第２の通信端末は、
前記第１の通信端末から出力された前記評価情報を、前記第２の通信経路を介して前記サーバに送信する送信部を備えることを特徴とする通信システム。
【請求項２】
前記コンテンツメタ情報は、
前記第１の通信端末のユーザに前記評価情報の入力を促すか否かを示すフラグを含み、
前記第１の通信端末は、
前記フラグに基づき、前記ユーザに対して評価の入力を促す処理を実行することを特徴                              
とする請求項１記載の通信システム。
【請求項３】
前記コンテンツメタ情報は、複数のブロックにより構成され、
前記ブロック毎に前記フラグを含むことを特徴とする請求項２記載の通信システム。
【請求項４】
前記複数のブロックの各々に対する評価情報は、
前記第１の通信経路が確立している場合には、前記ユーザの評価が入力される毎に該第１の通信経路を介して前記送信部により前記サーバに送信され、
前記第１の通信経路が確立していない場合には、何れのブロックに対する評価情報であるかを識別可能な状態で前記記憶部に記憶されることを特徴とする請求項３記載の通信システム。
【請求項５】
第１の通信経路を介してサーバから送信されるコンテンツメタ情報を受信する受信部と、
前記コンテンツメタ情報に基づきコンテンツを再生するコンテンツ再生部と、
前記コンテンツに対するユーザの評価を入力する入力部と、
前記入力部から入力された前記評価を含む評価情報を記憶する記憶部と、
前記第１の通信経路を介して、前記評価情報を前記サーバに送信する送信部と、
前記評価情報を前記サーバと第２の通信経路を介して接続される他の通信端末に対して出力する出力部とを備える通信端末であって、
前記第１の通信経路が確立している場合には、前記送信部により前記入力部から入力された前記評価情報を前記サーバに送信し、
前記第１の通信経路が確立していない場合には、前記他の通信端末との間の接続が確立した際に、
前記出力部により前記記憶部に記憶された前記評価情報を前記他の通信端末に対して出力することを特徴とする通信端末。
【請求項６】
前記コンテンツメタ情報は、
ユーザに前記評価情報の入力を促すか否かを示すフラグを含み、該フラグに基づき、前記ユーザに対して評価の入力を促す処理を実行することを特徴とする請求項５記載の通信端末。
【請求項７】
前記コンテンツメタ情報は、複数のブロックにより構成され、
前記ブロック毎に前記フラグを含むことを特徴とする請求項６記載の通信端末。
【請求項８】
前記複数のブロックの各々に対する評価情報は、
前記第１の通信経路が確立している場合には、前記ユーザの評価が入力される毎に該第１の通信経路を介して前記送信部により前記サーバに送信され、
前記第１の通信経路が確立していない場合には、何れのブロックに対する評価情報であるかを識別可能な状態で前記記憶部に記憶されることを特徴とする請求項７記載の通信端末。
【発明の詳細な説明】
【技術分野】
【０００１】
本発明は、コンテンツの配信を行なう通信システム及びサーバから送信されたコンテンツメタ情報に基づきコンテンツを再生する通信端末に関するものである。
【背景技術】
【０００２】
インターネット等のネットワークを介して動画や音楽等のコンテンツを配信する場合、コンテンツのファイルサイズが大きくファイルのダウンロードに時間が掛かることから、ファイルデータを受信しながらコンテンツの再生が可能なストリーミングによる配信が行なわれることが多い。このようなストリーミング配信においては、コンテンツを再生したユーザがコンテンツを評価する機能が付加され、このユーザによる評価を示す情報がストリーミングサーバに蓄積される。そして、蓄積された評価を示すデータは、ユーザの嗜好に合致したコンテンツを用意等する際のマーケティング資料として用いられている（特許文献１参照）。
【特許文献１】特開２００３−３２６６０号公報
【発明の開示】
【発明が解決しようとする課題】
【０００３】
ところで、携帯電話やＰＤＡ等の移動通信型の携帯端末（通信端末）に対してストリーミング配信を行なう場合、無線ＬＡＮ等により構成される無線ネットワークを介してコンテンツのデータが配信されることになる。この場合、無線ネットワークを介して通信端末とストリーミングサーバとが接続されるため、ユーザがコンテンツに対する評価を入力しても、評価を示す情報（評価情報）をストリーミングサーバに送信できない場合がある。即ち、コンテンツの再生に必要なデータを受信した後、ユーザの移動等により無線ネットワークを介した通信端末とストリーミングサーバとの間の接続が切断される場合がある。そのため、ユーザが評価を入力した場合に、必ずしも通信端末とストリーミングサーバとの間の通信経路が確立されているとは限らず、評価情報を送信できないことがある。この場合、ユーザによりコンテンツに対する評価が入力されているにも拘らず、ユーザの嗜好を把握等するために有用なマーケティング資料である評価情報をストリーミングサーバにおいて取得することができないという問題がある。
【０００４】
本発明の目的は、ユーザの評価を確実にサーバに送信することができる通信システム及び通信端末を提供することである。
【課題を解決するための手段】
【０００５】
以下に本発明の構成を実施形態の符号を付して説明するが、本発明は、この実施形態に限定されるものではない。
【０００６】
本発明の通信システムは、コンテンツメタ情報を配信するサーバ（４）と、前記サーバ（４）と第１の通信経路（１０）を介して接続される第１の通信端末（２）と、前記サーバ（４）と第２の通信経路（１２）を介して接続される第２の通信端末（６）とを備えた通信システムであって、前記第１の通信端末（２）は、前記サーバ（４）から送信された前記コンテンツメタ情報を受信する受信部と、前記コンテンツメタ情報に基づきコンテンツを再生するコンテンツ再生部と、前記コンテンツに対するユーザの評価を入力する入力部と、前記入力部から入力された前記評価を含む評価情報を記憶する記憶部と、前記第１の通信経路を介して、前記評価情報を前記サーバ（４）に送信する送信部と、前記評価情報を前記第２の通信端末（６）に対して出力する出力部とを備え、前記第１の通信経路（１０）が確立している場合には、前記送信部により前記入力部から入力された前記評価情報を前記サーバ（４）に送信し、前記第１の通信経路（１０）が確立していない場合には、前記第２の通信端末（６）との間の接続が確立した際に、前記出力部により前記記憶部に記憶された前記評価情報を該第２の通信端末（６）に対して出力し、前記第２の通信端末（６）は、前記第１の通信端末（２）から出力された前記評価情報を、前記第２の通信経路（１２）を介して前記サーバ（４）に送信する送信部を備えることを特徴とする。
【０００７】
また、本発明の通信端末は、第１の通信経路を介してサーバから送信されるコンテンツメタ情報を受信する受信部（２２）と、前記コンテンツメタ情報に基づきコンテンツを再生するコンテンツ再生部（２０）と、前記コンテンツに対するユーザの評価を入力する入力部（２６）と、前記入力部から入力された前記評価を含む評価情報を記憶する記憶部（２４）と、前記第１の通信経路を介して、前記評価情報を前記サーバに送信する送信部（２２）と、前記評価情報を前記サーバと第２の通信経路を介して接続される他の通信端末に対して出力する出力部（２８）とを備える通信端末であって、前記第１の通信経路が確立している場合には、前記送信部（２２）により前記入力部（２６）から入力された前記評価情報を前記サーバに送信し、前記第１の通信経路が確立していない場合には、前記他の通信端末との間の接続が確立した際に、前記出力部（２８）により前記記憶部（２４）に記憶された前記評価情報を前記他の通信端末に対して出力することを特徴とする。
【発明の効果】
【０００８】
本発明の通信システムによれば、第１の通信経路が確立している場合には、入力された評価情報を第１の通信端末からサーバに送信し、第１の通信経路が確立していない場合には、第１の通信端末において評価情報を記憶し、第２の通信端末との間の接続が確立した際に、第１の通信端末の出力部により第２の通信端末に対して評価情報を出力し、第２の通信端末は、第１の通信端末から出力された評価情報を、第２の通信経路を介してサーバに送信する。従って、サーバと第１の通信端末との間を接続する第１の通信経路が確立している場合には、入力された評価情報をリアルタイムでサーバに送信することができる。また、第１の通信経路が確立していない場合であっても、第２の通信経路を経由することによって確実に評価情報をサーバに送信することができる。
【０００９】
また、本発明の通信端末によれば、第１の通信経路が確立している場合には、入力された評価情報をサーバに送信し、第１の通信経路が確立してない場合には、評価情報を記憶部に記憶することによって保持し、他の通信端末との間の接続が確立した際に、記憶されている評価情報を他の通信端末に対して出力する。従って、可能な場合にはリアルタイムに評価情報を送信することができ、更に、サーバと第１の通信端末との間の接続状況に影響されることなく、確実に入力された評価情報をサーバに送信することができる。
【発明を実施するための最良の形態】
【００１０】
以下、図面を参照して本発明の実施の形態に係る通信システムについて説明する。なお、本発明における第１の通信端末には、携帯電話、ノートパソコン、タブレットＰＣ、ＰＤＡ、ウェアラブルディスプレイ、ウェアラブルコンピュータ等の移動通信型の携帯機器（携帯端末）が含まれるが、以下においては、ＰＤＡを例として説明する。また、第２の通信端末には、ノートパソコンやデスクトップパソコン等のパーソナルコンピュータ（ＰＣ）を用いる場合を例として説明する。
【００１１】
図１は、本実施の形態に係る通信システムの概略構成を模式的に示した図である。通信システムは、コンテンツメタ情報を配信するサーバ４（ストリーミングサーバ）と、インターネット８、アクセスポイント及び無線ＬＡＮ１０（第１の通信経路）を介してサーバ４と接続されるＰＤＡ２（第１の通信端末）と、インターネット８及びＬＡＮ１２（第２の通信経路）を介してサーバ４と接続されるＰＣ６（第２の通信端末）とを備えている。また、本実施の形態に係る通信システムにおいて、ＰＤＡ２とＰＣ６との間の接続は、例えば、ＵＳＢケーブルを介して確立される。なお、サーバ４とＰＣ６との間を接続するＬＡＮ１２は、無線ＬＡＮ１０に比べ通信の安定性が高い通信経路となっており、例えば、有線により構成されている。
【００１２】
ここで、図１においては、サーバ４とＰＤＡ２との間、サーバ４とＰＣ６との間の接続状態を示すべく、無線ＬＡＮ１０による通信経路及びＬＡＮ１２による通信経路の双方が確立している場合を示しているが、無線ＬＡＮ１０による通信経路とＬＡＮ１２による通信経路が同時に確立している必要はない。また、ＰＤＡ２とＰＣ６との間の接続についても、常時接続が確立されている必要はなく、ＰＤＡ２からＰＣ６に対してデータの出力を行なう場合にのみ、接続が確立されていればよい。
【００１３】
図２は、本実施の形態に係るＰＤＡ２の構成を示すブロック図である。ＰＤＡ２は、図２に示すように、コンテンツの再生等の処理を制御するＣＰＵ２０を備え、ＣＰＵ２０には、インターネット８等を介した通信を制御する通信制御部２２（受信部／送信部）、評価情報等を記憶する記憶部２４（記憶部）、再生されたコンテンツ等を表示する表示部２６及びＰＣ６との間の接続を確立するＵＳＢポート２８（出力部）が接続されている。なお、ＰＤＡ２においては、表示部２６がタッチパネルにより構成され、入力部として機能し、コンテンツの再生等の指示や再生されたコンテンツの評価等を入力することができる。また、図２においては図示を省略しているが、ＰＤＡ２は、音楽コンテンツ等を再生した場合に用いられるスピーカ等も備えている。このＰＤＡ２においては、無線ＬＡＮ１０が確立している場合において、サーバ４から送信されるコンテンツメタ情報を通信制御部２２を介して受信し、受信したコンテンツメタ情報に基づいて動画や音楽等のコンテンツを再生する。
【００１４】
ここで、コンテンツメタ情報とは、サーバ４から配信されるコンテンツのタイトル、コンテンツのＵＲＬ、コンテンツのファイル形式等のプレイリストを示す情報である。なお、本実施の形態に係るコンテンツメタ情報には、コンテンツのＵＲＬ等に加え、コンテンツのレーティング入力可否を示す情報、即ち、ユーザにコンテンツに対する評価の入力を促すか否かを示すフラグ（評価入力要求可否フラグ）が含まれている。また、コンテンツメタ情報に複数のコンテンツが含まれている場合、即ち、コンテンツメタ情報が複数のブロックにより構成されている場合には、ブロック毎（コンテンツ毎）に評価入力要求可否フラグが含まれている。そして、評価の入力を促す場合には、評価入力要求可否フラグが“Ｙｅｓ”を示し、評価の入力を促さない場合には、評価入力要求可否フラグが“Ｎｏ”を示している。
【００１５】
図３は、ＰＤＡ２とサーバ４との間の通信経路である無線ＬＡＮ１０のみが確立している場合を示す図である。即ち、ＰＤＡ２においてサーバ４からコンテンツメタ情報を受信し、コンテンツの再生を行なう場合、ＰＤＡ２とサーバ４との間の通信経路が確立していれば十分であることから、図３に示すように、サーバ４とＰＣ６との間の通信経路（ＬＡＮ１２）、ＰＤＡ２とＰＣ６との間の接続は確立していない。
【００１６】
次に、図４のフローチャートを参照して、本実施の形態に係るＰＤＡ２における処理について説明する。なお、以下の説明においては、ＰＤＡ２とサーバ４との間の通信経路（無線ＬＡＮ１０）のみが確立している場合（図３参照）におけるＰＤＡ２の処理について説明する。
【００１７】
まず、ＰＤＡ２においては、サーバ４から送信されるコンテンツメタ情報を受信する（ステップＳ１０）。即ち、ＰＤＡ２が、無線ＬＡＮ１０、アクセスポイント及びインタ−ネット８を介してサーバ４に接続され、サーバ４により提供されるコンテンツのプレイリストを示すコンテンツメタ情報が取得される。
【００１８】
次に、ステップＳ１０において受信したコンテンツメタ情報に基づいてコンテンツを再生する（ステップＳ１１）。即ち、コンテンツメタ情報に含まれているコンテンツＵＲＬにアクセスすることによって、サーバ４に対してコンテンツの配信を要求し、この要求に基づいてサーバ４からストリーミング配信されるコンテンツのデータを受信する。そして、受信したコンテンツのデータに基づいてコンテンツを再生する。
【００１９】
ここで、ＰＤＡ２においてコンテンツを再生している場合には、該コンテンツの再生を開始した時間、再生を終了した時間、再生の回数、早送りした部分等、コンテンツの再生状況を示す情報（再生情報）が記憶部２４に記憶される。なお、コンテンツが複数のブロックにより構成されている場合には、ブロック毎の再生情報が各ブロックの識別情報と共に記憶部２４に記憶される。また、コンテンツメタ情報の取得及びコンテンツの再生は、ストリーミング配信に関する公知の技術を用いて実現することができるため、詳細な説明は省略する。
【００２０】
次に、コンテンツの評価の入力が要求されているか否かの判断を行なう（ステップＳ１２）。即ち、コンテンツの再生が終了した時点において、コンテンツメタ情報に含まれている評価の入力を促すか否かを示す評価入力要求可否フラグが、“Ｙｅｓ”を示しているか“Ｎｏ”を示しているかの判定を行なう。
【００２１】
評価入力要求可否フラグが“Ｙｅｓ”を示している場合には（ステップＳ１２）、コンテンツの評価の入力を要求するダイアログを表示部２６に表示する（ステップＳ１３）。例えば、「コンテンツの評価を入力してください。」等のメッセージと共に、評価の入力欄等を表示する。なお、評価入力フラグが“Ｎｏ”を示している場合には、処理を終了し、次に再生するコンテンツがある場合には、そのコンテンツを再生等する処理を実行する。
【００２２】
次に、表示部２６が表示されているダイアログに応じて、コンテンツの評価を入力する（ステップＳ１４）。即ち、表示部２６のタッチパネルを操作することにより、コンテンツの評価を入力する。例えば、表示部２６に表示されている「面白い」、「普通」、「つまらない」等の項目や、評価を示す数値を選択等することにより、コンテンツの評価を入力する。
【００２３】
次に、ステップＳ１４において入力されたコンテンツの評価を含む評価情報を作成する（ステップＳ１５）。即ち、コンテンツの評価が入力された場合には、記憶部２４に記憶されているコンテンツの再生情報が取り出され、取り出された再生情報とコンテンツの評価とを含む評価情報が作成される。
【００２４】
次に、ＰＤＡ２とサーバ４との間の通信経路が確立している場合には（ステップＳ１６）、ステップＳ１５において作成された評価情報が無線ＬＡＮ１０を介してサーバ４に送信される（ステップＳ１７）。即ち、ＰＤＡ２とサーバ４との間を接続する無線ＬＡＮ１０による通信経路が確立しているか否かを判定し、通信経路が確立している場合には、評価情報をサーバ４に送信する。なお、通信経路が確立しているか否かの判定は、例えば、ｐｉｎｇコマンドの送信等、公知の接続確認技術を用いて行なうことができるため、詳細な説明は省略する。
【００２５】
一方、ＰＤＡ２とサーバ４との間の通信経路が確立していない場合には（ステップＳ１６）、作成された評価情報を記憶部２４に記憶する（ステップＳ１８）。即ち、ＰＤＡ２のような移動通信型の通信端末は、野外等において移動する際に用いられるのが一般的である。そのため、無線ＬＡＮ１０による接続が常に保持されているとは限らず、コンテンツデータを受信し再生が終了した時点において、無線ＬＡＮ１０による接続が切断され通信経路が確立しておらず、評価情報を送信することができない場合がある。特に、コンテンツのデータを受信した直後に接続が切断された場合には、コンテンツの再生が可能でありながら、評価情報を送信することができない状態となっている。従って、評価情報を送信する際に通信経路が確立していない場合には、評価情報を記憶部２４に記憶し、ＰＤＡ２において評価情報を保持する。
【００２６】
次に、図５を参照して、ＰＣ６を経由してサーバ４に評価情報を送信する場合の処理について説明する。ＰＤＡ２とサーバ４との間の通信経路が確立しておらず、ＰＤＡ２の記憶部２４に評価情報が記憶された場合には、ＰＤＡ２とＰＣ６との間の接続が確立した際、即ち、ＰＤＡ２のＵＳＢポート２８を介してＰＣ６との間の接続が確立した際に、ＰＤＡ２の記憶部２４に記憶された評価情報をＰＣ６に出力する。なお、ＰＣ６においては、ＰＤＡ２から出力された評価情報を図示しない記憶部に記憶する。
【００２７】
次に、ＰＣ６においては、ＬＡＮ１２及びインターネット８を介してサーバ４に接続し、ＰＣ６とサーバ４との間の通信経路を確立する。そして、図示しない記憶部に記憶されているＰＤＡ２から出力された評価情報を、ＬＡＮ１２及びインターネット８を介してサーバ４に対して送信する。 
本実施の形態に係る通信システムによれば、評価情報を送信する際に、ＰＤＡ２とサーバ４との間の通信経路が確立している場合には、ＰＤＡ２から直接サーバ４に対して評価情報を送信し、ＰＤＡ２とサーバ４との間の通信経路が確立していない場合には、ＰＤＡ２において評価情報を記憶部２４に記憶し、ＰＤＡ２とＰＣ６との間の接続が確立した際に、ＰＤＡ２に記憶されていた評価情報をＰＣ６に対して出力して、ＰＣ６からサーバ４に対しＬＡＮ１２を介してＰＤＡ２から出力された評価情報を送信する。従って、無線ＬＡＮ１０が確立している場合には、ユーザが評価を入力した直後に評価情報を送信することができ、サーバ４において、ユーザのコンテンツに対する評価をリアルタイムに得ることができる。また、無線ＬＡＮ１０が確立していない場合であっても、ＰＣ６及びＬＡＮ１２を経由することによって、ユーザにより入力されたコンテンツの評価を、確実にサーバ４に対して送信することができ、有用なマーケティング資料であるコンテンツに対するユーザの評価を確実に得ることができる。
【００２８】
また、コンテンツメタ情報には、ユーザにコンテンツの評価の入力を促すか否かを示す評価入力要求フラグが含まれているため、効率的にユーザの評価を収集することができる。例えば、ユーザの評価を収集したいコンテンツについては、評価入力要求フラグを設定し、ダイアログを表示してユーザに評価の入力を促すことによって、効率的にユーザの評価を収集することができる。
【００２９】
また、コンテンツメタ情報が複数のコンテンツのプレイリストである場合には、各コンテンツのコンテンツメタ情報毎に評価入力要求フラグを設定することができるため、コンテンツの再生が終了する毎にユーザに評価の入力を促すことができる。従って、サーバとＰＤＡとの間の通信経路が確立している場合には、コンテンツの再生が終了する毎にユーザにより入力された評価を即時にサーバに対して送信することができ、リアルタイムなユーザの評価を得ることができる。
【００３０】
また、本実施の形態に係る通信端末であるＰＤＡ２によれば、サーバ４との間の通信経路が確立している場合には、コンテンツの評価を含む評価情報を無線ＬＡＮ１０を介してサーバ４に対して送信し、通信経路が確立していない場合には、評価情報を記憶部２４に記憶する。従って、無線ＬＡＮが確立している場合には、ユーザにより入力された直後にコンテンツに対する評価をサーバに送信することができ、リアルタイムでユーザの評価を送信することができる。更に、ユーザにより入力されたコンテンツの評価をサーバに対して送信することができない場合であっても、評価情報を記憶することにより、他の通信経路を介して確実にサーバに対してユーザによるコンテンツの評価を送信することができる。
【００３１】
また、本実施の形態に係る通信端末であるＰＤＡ２によれば、ユーザにより入力されたコンテンツに対する評価とユーザによるコンテンツの再生状況を示す再生情報とを含む評価情報を作成し、サーバに送信する。従って、ユーザにより入力された評価に加え、ユーザによりコンテンツの再生がどのように行なわれたかを示す情報を得ることができ、ユーザの嗜好を詳細に分析可能である有用なマーケティング資料を適切に得ることができる。
【００３２】
なお、上述の実施の形態に係る通信システムにおいては、サーバ４とＰＣ６との間の接続を有線のＬＡＮ１２により確立しているが、サーバ４とＰＣ６との間の通信経路は有線のＬＡＮに限定されるものではない。即ち、ＰＣ６が、例えば、ユーザの自宅に設置されているパーソナルコンピュータ等である場合には、無線ＬＡＮを用いている場合であっても、野外等で移動している場合と異なり、接続が切断される可能性が低い。従って、サーバ４とＰＣ６との間の接続が、サーバ４とＰＤＡ２との間の接続に比べて安定性の高いものであれば、どのような通信経路を用いてもよい。
【００３３】
また、ＰＤＡ２とＰＣ６との間の接続は、ＵＳＢケーブル以外のものにより確立されるようにしてもよい。例えば、ＵＳＢメモリやフレキシブルディスク等の記録媒体を用いてＰＤＡ２とＰＣ６との間の接続を確立するようにしてもよい。即ち、ＰＤＡ２において、ＵＳＢメモリやフレキシブルディスク等の記録媒体に評価情報を出力し、該記録媒体に記録された評価情報をＰＣ６において読み取ることにより、ＰＤＡ２からＰＣ６に対して評価情報を出力するようにしてもよい。また、例えば、赤外線通信等により、ＰＤＡ２からＰＣ６に対して評価情報を出力するようにしてもよい。
【００３４】
また、上述の実施の形態に係る通信システムにおいては、評価の入力を促すダイアログを表示し、ユーザにより評価を入力させているが、評価を入力せず、次のコンテンツを再生等するようにしてもよい。即ち、 ダイアログとして「コンテンツの評価を入力しますか？」等のメッセージと共に、「Ｙｅｓ」及び「Ｎｏ」のボタン等を表示し、ユーザにより「Ｙｅｓ」が選択された場合にのみ、評価の入力画面を表示するようにしてもよい。
【００３５】
また、上述の実施の形態に係る通信システムにおいては、評価の入力を促すダイアログを表示しているが、例えば、音声により評価の入力を促すようにしてもよい。即ち、音楽コンテンツ等が再生されている場合には、コンテンツの再生が終了した後、音声にて「コンテンツの評価を入力して下さい」等のアナウンスを行なうようにしてもよい。
【００３６】
また、上述の実施の形態に係る通信システムにおいては、サーバとしてストリーミングサーバを用いているが、通信システムを構成するサーバは、ストリーミングサーバに限定されるものではない。従って、ストリーミング配信を行なわないＷｅｂサーバ等を用いるようにしてもよい。
【００３７】
また、上述の実施の形態に係る通信端末においては、入力された評価及び再生情報を含む評価情報を作成し、サーバに送信しているが、コンテンツの評価が入力されているか否かに拘り無く、コンテンツの再生が終了した時点で再生情報をサーバに対して送信するようにしてもよい。また、例えば、ユーザに対して評価の入力を促したにも拘らず、評価の入力が行われなかった場合に、コンテンツの再生情報のみをサーバに対して送信するようにしてもよい。
【図面の簡単な説明】
【００３８】
【図１】本発明の実施の形態に係る通信システムの概略構成を模式的に示したブロック構成図である。
【図２】本発明の実施の形態に係る第１の通信端末のブロック構成図である。
【図３】本発明の実施の形態に係る第１の通信経路を説明するための図である。
【図４】本発明の実施の形態に係る第１の通信端末における処理を説明するためのフローチャートである。
【図５】本発明の実施の形態に係る第２の通信経路を説明するための図である。
【符号の説明】
【００３９】
２・・・ＰＤＡ、４・・・サーバ、６・・・ＰＣ、８・・・インターネット、１０・・・無線ＬＡＮ、１２・・・ＬＡＮ、２０・・・ＣＰＵ、２２・・・通信制御部、２４・・・記憶部、２６・・・表示部、２８・・・ＵＳＢポート。
【図１】
2009110399.tif 000003
【図２】
2009110399.tif 000004
【図３】
2009110399.tif 000005
【図４】
2009110399.tif 000006
【図５】
2009110399.tif 000007